(57)【要約】【課題】  本発明は、電子メールの送受信を行うメーラーシステムにおいて同じタイトルのメールのやり取りを視覚的にわかり易く整理できるようにしたことを特徴としている。【解決手段】  メールのつながりをわかり易く整理する受信装置において、電子メールを受信するとヘッダ情報の解析を行い、着信したメールの件名が受信済みであるメールボックス上に存在するかを判別する。存在すれば着信したメールと件名が同じメールに対して、送信者と送信日時を基準にマトリックス上に整理表示する。更に、送信者と送信日時でマトリックス表示された結果をファイルとして保存し、同一件名の電子メールが着信すると、このファイルに追加更新する。【選択図】        図１
2006252199.tif 000002
【特許請求の範囲】
【請求項１】
外部装置から送信された新規データ及び前記新規データ以前に前記外部装置から送信された保存データのヘッダ情報の解析を行い、前記ヘッダ情報に前記新規データと共通の識別情報を含む前記保存データを判別する解析部と、
前記新規データ及び前記共通の識別情報を含む保存データを、送信者と送信時間を基準にマトリックス上に表示する整理表示部と
を具備する
受信装置。
【請求項２】
請求項１に記載の受信装置において、
前記整理表示部は、前記マトリックス上に前記新規データ及び前記共通の識別情報を含む保存データのデータ本体を表示する
受信装置。
【請求項３】
請求項１に記載の受信装置において、
前記整理表示部は、前記マトリックス上に前記新規データ及び前記共通の識別情報を含む保存データのデータ名を表示する
受信装置。
【請求項４】
請求項１乃至３のいずれか一項に記載の受信装置において、
前記マトリックス上に表示された結果をファイルに保存する結果保存部を更に具備する
受信装置。
【請求項５】
請求項１乃至４のいずれか一項に記載の受信装置において、
前記新規データを受信する受信部と、
前記新規データを前記保存データとして格納する記憶部と
を更に具備する
受信装置。
【請求項６】
請求項５に記載の受信装置において、
前記受信部は、前記解析部が前記新規データ及び前記保存データのヘッダ情報の解析を行った後、前記新規データを前記記憶部に送信する
受信装置。
【請求項７】
請求項５に記載の受信装置において、
前記受信部は、前記新規データを前記記憶部に送信し、
前記解析部は、前記記憶部が持つ前記新規データ及び前記保存データのヘッダ情報の解析を行う
受信装置。
【請求項８】
請求項５に記載の受信装置において、
前記受信部は、前記新規データを前記解析部に送信し、
前記解析部は、前記新規データ及び前記保存データのヘッダ情報の解析を行った後、前記新規データを前記記憶部に送信する
受信装置。
【請求項９】
メールを受信する受信部と、
前記メールのヘッダ情報を解析するヘッダ情報解析部と、
前記メールを保存するメールボックスと、
前記ヘッダ情報解析部が、前記受信部に着信したメール及び前記メールボックスに保存されているメールのヘッダ情報を解析した結果に基づき、前記着信メール及び前記保存メールのうち同じ件名を持つメールに対して、送信者と送信時間とを基準にマトリックス上に表示する整理表示部と
を具備する
受信装置。
【請求項１０】
請求項９に記載の受信装置において、
前記整理表示部がマトリックス上に整理表示した結果をファイルに保存するファイル保存部を更に具備する
受信装置。
【請求項１１】
外部装置から送信された新規データ及び前記新規データ以前に前記外部装置から送信された保存データのヘッダ情報の解析を行い、前記ヘッダ情報に前記新規データと共通の識別情報を含む前記保存データを判別するステップと、
前記新規データ及び前記共通の識別情報を含む保存データを、送信者と送信時間を基準にマトリックス上に表示するステップと
を具備する
表示方法。
【請求項１２】
請求項１１に記載の表示方法において、
前記マトリックス上に前記新規データ及び前記共通の識別情報を含む保存データのデータ本体を表示する
表示方法。
【請求項１３】
請求項１１に記載の表示方法において、
前記マトリックス上に前記新規データ及び前記共通の識別情報を含む保存データのデータ名を表示する
表示方法。
【請求項１４】
請求項１１乃至１３のいずれか一項に記載の表示方法において、
前記マトリックス上に表示された結果をファイルに保存するステップを更に具備する
表示方法。
【請求項１５】
請求項１１乃至１４のいずれか一項に記載の表示方法において、
受信部が、前記新規データを受信するステップと、
記憶部が、前記新規データを前記保存データとして格納するステップと
を更に具備する
表示方法。
【請求項１６】
請求項１５に記載の表示方法において、
前記新規データ及び前記保存データのヘッダ情報の解析が行われた後、前記受信部が、前記新規データを前記記憶部に送信するステップを更に具備する
表示方法。
【請求項１７】
請求項１５に記載の表示方法において、
前記受信部が、前記新規データを前記記憶部に送信するステップと、
前記記憶部が持つ前記新規データ及び前記保存データのヘッダ情報の解析を行うステップと
を更に具備する
表示方法。
【請求項１８】
請求項１５に記載の表示方法において、
前記受信部が、前記新規データを解析部に送信するステップと、
前記解析部が、前記新規データ及び前記保存データのヘッダ情報の解析を行った後、前記新規データを前記記憶部に送信するステップと
を更に具備する
表示方法。
【請求項１９】
メールを受信するステップと、
前記メールのヘッダ情報を解析するステップと、
前記メールを保存するステップと、
着信したメール及び前記保存されているメールのヘッダ情報を解析した結果に基づき、前記着信メール及び前記保存メールのうち同じ件名を持つメールに対して、送信者と送信時間とを基準にマトリックス上に表示するステップと
を具備する
表示方法。
【請求項２０】
請求項１９に記載の表示方法において、
前記マトリックス上に整理表示した結果をファイルに保存するステップを更に具備する
表示方法。
【請求項２１】
請求項１１乃至２０のいずれか一項に記載の表示方法を、計算機に実行させるためのプログラム。
【発明の詳細な説明】
【技術分野】
【０００１】
本発明は、メールのつながりをわかり易く整理する受信装置、表示方法及びプログラムに関する。
【背景技術】
【０００２】
メール（ｅ−ｍａｉｌ）の利用者は、職場、学校、知人、特定のテーマについてのメーリングリストといった複数のコミュニティーに属し、不特定多数の相手とメールのやり取りをすることが多い。このような場合、フィルタリングにより、所定の件名、送信者又はキーワードを含む場合といった条件でメールを分類することがある。しかし、フィルタリングによる分類を行っても、メール同士の内容のつながりは、利用者自身が個々のメールを閲覧して判断しなければならなかった。
【０００３】
従来、この種のメールのつながりをわかり易く整理する受信装置は、同じ件名のメールを時系列に結合するものであった。
前記の受信装置の例として、特定の件名を指示すると、相当する件名のメール群を送受信メールの保存領域から抜き出してきて、そのメール群の本文の中から質問文や要請文、それに対する回答文を抽出してきてまとめ、文書ファイルとして出力するものがある（特許文献１参照）。
【０００４】
しかし、前記の受信装置においては、メール群の本文の中から質問文や要請文、それに対する回答文を抽出するため、システムに高度の解析機能が要求され、十分な解析能力が無いと抽出ミスが発生する。
また、従来の受信装置では、時系列のつながりはわかるが、送信者間のメールのやり取りが視覚的にわかりにくかった。
【０００５】
他にも、電子メール制御装置にあって、ある特定の相手、ある特定の事柄についてやり取りした各メールデータのみを容易に検索編集して表示する従来技術が知られている（特許文献２参照）。
この電子メール制御装置は、メールデータを記憶するメール記憶手段と、任意の通信先及び件名を指定する項目指定手段と、この項目指定手段により指定された通信先及び件名と同一の通信先及び件名で共通するメールデータを前記メール記憶手段から検索する共通メール検索手段と、この共通メール検索手段により検索された前記指定された通信先及び件名で共通する各メールデータを表形式で表示する共通メール表示手段とを備えたことを特徴とする。
【０００６】
【特許文献１】特開２００２−２４４９７６号公報
【特許文献２】特開２０００−１６３３３９号公報
【発明の開示】
【発明が解決しようとする課題】
【０００７】
本発明の目的は、メール本文の内容はそのままで、メールをマトリックス上に並べることによって、メールのやり取りを視覚的にわかり易く整理する受信装置、表示方法及びプログラムを提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【０００９】
本発明の受信装置は、外部装置から送信された新規データ及び前記新規データ以前に前記外部装置から送信された保存データのヘッダ情報の解析を行い、前記ヘッダ情報に前記新規データと共通の識別情報を含む前記保存データを判別する解析部（１２）と、前記新規データ及び前記共通の識別情報を含む保存データを、送信者と送信時間を基準にマトリックス上に表示する整理表示部（１４）とを具備する。
【００１０】
本発明の受信装置では、前記整理表示部（１４）は、前記マトリックス上に前記新規データ及び前記共通の識別情報を含む保存データのデータ本体を表示する。
【００１１】
本発明の他の受信装置では、前記整理表示部（１４）は、前記マトリックス上に前記新規データ及び前記共通の識別情報を含む保存データのデータ名を表示する。
【００１２】
本発明の受信装置は、前記マトリックス上に表示された結果をファイルに保存する結果保存部（１５）を更に具備する。
【００１３】
本発明の受信装置は、前記新規データを受信する受信部（１１）と、前記新規データを前記保存データとして格納する記憶部（１３）とを更に具備する。
【００１４】
本発明の受信装置では、前記受信部（１１）は、前記解析部（１２）が前記新規データ及び前記保存データのヘッダ情報の解析を行った後、前記新規データを前記記憶部（１３）に送信する。
【００１５】
本発明の他の受信装置では、前記受信部（１１）は、前記新規データを前記記憶部（１３）に送信し、前記解析部（１２）は、前記記憶部（１３）が持つ前記新規データ及び前記保存データのヘッダ情報の解析を行う。
【００１６】
本発明の他の受信装置では、前記受信部（１１）は、前記新規データを前記解析部（１２）に送信し、前記解析部（１２）は、前記新規データ及び前記保存データのヘッダ情報の解析を行った後、前記新規データを前記記憶部（１３）に送信する。
【００１７】
本発明の受信装置は、メールを受信する受信部（１１）と、前記メールのヘッダ情報を解析するヘッダ情報解析部（１２）と、前記メールを保存するメールボックス（１３）と、前記ヘッダ情報解析部（１２）が、前記受信部（１１）に着信したメール及び前記メールボックス（１３）に保存されているメールのヘッダ情報を解析した結果に基づき、前記着信メール及び前記保存メールのうち同じ件名を持つメールに対して、送信者と送信時間とを基準にマトリックス上に表示する整理表示部（１４）とを具備する。
【００１８】
本発明の受信装置は、前記整理表示部（１４）がマトリックス上に整理表示した結果をファイルに保存するファイル保存部（１５）を更に具備する。
【００１９】
本発明の表示方法は、外部装置から送信された新規データ及び前記新規データ以前に前記外部装置から送信された保存データのヘッダ情報の解析を行い、前記ヘッダ情報に前記新規データと共通の識別情報を含む前記保存データを判別するステップと、前記新規データ及び前記共通の識別情報を含む保存データを、送信者と送信時間を基準にマトリックス上に表示するステップとを具備する。
【００２０】
本発明の表示方法では、前記マトリックス上に前記新規データ及び前記共通の識別情報を含む保存データのデータ本体を表示する。
【００２１】
本発明の表示方法では、前記マトリックス上に前記新規データ及び前記共通の識別情報を含む保存データのデータ名を表示する。
【００２２】
本発明の表示方法は、前記マトリックス上に表示された結果をファイルに保存するステップを更に具備する。
【００２３】
本発明の表示方法は、受信部（１１）が、前記新規データを受信するステップと、記憶部（１３）が、前記新規データを前記保存データとして格納するステップとを更に具備する。
【００２４】
本発明の表示方法は、前記新規データ及び前記保存データのヘッダ情報の解析が行われた後、前記受信部（１１）が、前記新規データを前記記憶部（１３）に送信するステップを更に具備する。
【００２５】
本発明の表示方法は、前記受信部（１１）が、前記新規データを前記記憶部（１３）に送信するステップと、前記記憶部（１３）が持つ前記新規データ及び前記保存データのヘッダ情報の解析を行うステップとを更に具備する。
【００２６】
本発明の表示方法は、前記受信部（１１）が、前記新規データを解析部（１２）に送信するステップと、前記解析部（１２）が、前記新規データ及び前記保存データのヘッダ情報の解析を行った後、前記新規データを前記記憶部（１３）に送信するステップとを更に具備する。
【００２７】
本発明の表示方法は、メールを受信するステップと、前記メールのヘッダ情報を解析するステップと、前記メールを保存するステップと、着信したメール及び前記保存されているメールのヘッダ情報を解析した結果に基づき、前記着信メール及び前記保存メールのうち同じ件名を持つメールに対して、送信者と送信時間とを基準にマトリックス上に表示するステップとを具備する。
【００２８】
本発明の表示方法は、前記マトリックス上に整理表示した結果をファイルに保存するステップを更に具備する。
【００２９】
本発明のプログラムは、前記の表示方法を計算機に実行させる。
【発明の効果】
【００３０】
本願発明では、送信者と送信日時でマトリックス表示されることにより、個々のメールのやり取りが視覚的にわかり易くなる。
【発明を実施するための最良の形態】
【００３１】
以下に、本発明の第１実施形態について添付図面を参照して説明する。
図１に示す通り、本発明の受信装置は、受信部１１、ヘッダ情報解析部１２、受信メールボックス１３、及びメール整理表示部１４を備える。
受信部１１は、メールを受信する。ヘッダ情報解析部１２は、メールのヘッダ情報の解析を行う。受信メールボックス１３は、メールを保存する。メール整理表示部１４は、メールを整理表示する。
【００３２】
メールに付加されているヘッダ情報には、メールの送信者、受信者、経由したサーバや題名といったメールの送受信に不可欠な情報や重要なデータが書き込まれている。
【００３３】
図２を参照して、本発明の受信装置の基本動作について説明する。
受信部１１は、メールの着信を監視する（ステップＳ１０１）。なお、ヘッダ情報解析部１２が受信部１１へのメールの着信を監視するようにしても良い。メールが着信した場合、受信部１１は、着信メールをヘッダ情報解析部１２に送る。この時、受信部１１がメールの着信をヘッダ情報解析部１２に通知し、ヘッダ情報解析部１２が受信部１１にある着信メールを読み出すようにしても良い。
【００３４】
ヘッダ情報解析部１２は、着信メールのヘッダ情報の解析を行い、更に受信メールボックス１３内にある受信済みのメールについてもヘッダ情報の解析を行う（ステップＳ１０２）。ここでは、ヘッダ情報解析部１２が受信メールボックス１３にアクセスして格納されている受信済みのメールのヘッダ情報の解析を行っているが、他の方法として、受信メールボックス１３が受信済みのメールをヘッダ情報解析部１２に送信するようにしても良い。この場合、ヘッダ情報の解析後、ヘッダ情報解析部１２が持つ無関係な受信済みのメールは破棄しても良い。また、例えば、２ヶ月以内に受信したメールのみヘッダ情報解析部１２に送信するといった条件を設定し、受信済みのメールの全てではなく、条件に合ったメールのみを受信するようにすることで、解析の対象となるメールの数を減らし、受信済みのメールの転送やヘッダ情報の解析に要する時間を短縮することが可能である。
【００３５】
ヘッダ情報解析部１２は、ヘッダ情報の解析の結果、着信メールと同じ件名のメールが受信済みのメールに含まれていれば、着信メール及び件名が同じメールをメール整理表示部１４に送信する。着信メールと同じ件名のメールが受信済みのメールに含まれていなければ、処理を終了する（ステップＳ１０３）。着信メールと同じ件名のメールが受信済みのメールに含まれていない場合、着信メールは従来の表示方法で表示される。この時、着信メールのみ表示させるためにメール整理表示部１４に着信メールを送信するようにしても良い。
【００３６】
メール整理表示部１４は、着信メールと件名が同じメールに対して、送信者と送信日時を基準にマトリックス上に整理表示する（ステップＳ１０４）。この時、件名が同じメールのみマトリックス上に整理表示し、着信メールは独立して表示するようにしても良い。
【００３７】
図３を参照して、本発明の第１実施形態の動作について説明する。
受信部１１は、着信メールをヘッダ情報解析部１２に送信する（ステップＳ２０１）。
ヘッダ情報解析部１２は、受信メールボックス１３に格納されている受信済みのメールにアクセスする（ステップＳ２０２）。
ヘッダ情報解析部１２は、着信メールと受信済みのメールのヘッダ情報の解析を行い、受信済みのメールから着信メールと件名が同じメールを検出し、着信メール及び件名が同じメールをメール整理表示部１４に送信する（ステップＳ２０３）。また、ヘッダ情報解析部１２は、受信メールボックス１３から受信済みのメールのヘッダ情報のみを受け取って解析を行い、解析後、受信済みのメールから着信メールと件名が同じメールを受信メールボックス１３から選択して、着信メールとともにメール整理表示部１４に送信するようにしても良い。
なお、ステップＳ２０１からステップＳ２０３までの動作については、ヘッダ情報解析部１２が受信部１１へのメールの着信を監視し、着信メールがあった時、ヘッダ情報解析部１２が受信部１１及び受信メールボックス１３にアクセスし、着信メールと受信済みのメールのヘッダ情報の解析を行うようにしても良い。
ヘッダ情報の解析後、受信部１１は、受信したメールを受信メールボックス１３に送信する（ステップＳ２０４）。ヘッダ情報の解析後に受信部１１から受信メールボックス１３に着信メールを送信するのは、ヘッダ情報を解析する際、受信済みのメールに着信メールと同じメールが含まれることを防止するためである。ヘッダ情報の解析時に、解析対象である受信済みのメールに着信メールと同じメールが含まれないようにすることが可能であれば、受信部１１から受信メールボックス１３に着信メールを送信するのはいつでも良い。
メール整理表示部１４は、着信メール及び件名が同じメールに対して、送信者と送信日時を基準にマトリックス上に整理表示する（ステップＳ２０５）。
【００３８】
本発明では、結果の記録について更に工夫している。その構成を図４に示す。
図４に示す通り、本発明の受信装置は、ファイル保存部１５を更に備えている。ファイル保存部１５は、送信者と送信日時でマトリックス表示された結果をファイルとして保存する。また、受信部１１が前記同一件名の電子メールを着信すると、ファイル保存部１５は着信メールをこのファイルに追加更新する。
【００３９】
この時、本発明の受信装置は、結果をファイルに保存しており、また、保存結果に新しい情報を追加するので、処理速度がＵＰするという効果が得られる。
【００４０】
以下に、本発明の第２実施形態について添付図面を参照して説明する。
第２実施形態では、着信メール及び受信済みのメールはいずれも受信メールボックス１３に格納され、ヘッダ情報解析部１２は、受信メールボックス１３に格納されている着信メール及び受信済みのメールに対してヘッダ情報の解析を行う。
図５に示す通り、第２実施形態も第１実施形態と同じく、本発明の受信装置は、受信部１１、ヘッダ情報解析部１２、受信メールボックス１３、及びメール整理表示部１４を備える。
受信部１１は、メールを受信する。ヘッダ情報解析部１２は、受信メールボックス１３が持つメールのヘッダ情報の解析を行う。受信メールボックス１３は、メールを保存する。メール整理表示部１４は、メールを整理表示する。
【００４１】
図６を参照して、本発明の第２実施形態の動作について説明する。
受信部１１は、着信メールを受信メールボックス１３に送信する（ステップＳ３０１）。
ヘッダ情報解析部１２は、受信メールボックス１３に格納されている受信済みのメールにアクセスする（ステップＳ３０２）。
ヘッダ情報解析部１２は、着信メールと受信済みのメールのヘッダ情報の解析を行い、受信済みのメールから着信メールと件名が同じメールを検出し、着信メール及び件名が同じメールをメール整理表示部１４に送信する（ステップＳ３０３）。また、ヘッダ情報解析部１２は、受信メールボックス１３から着信メール及び受信済みのメールについてヘッダ情報のみを受け取って解析を行い、解析後、受信メールボックス１３から着信メール及び件名が同じメールを取得して、着信メールとともにメール整理表示部１４に送信するようにしても良い。
メール整理表示部１４は、着信メール及び件名が同じメールに対して、送信者と送信日時を基準にマトリックス上に整理表示する（ステップＳ３０４）。
【００４２】
以下に、本発明の第３実施形態について添付図面を参照して説明する。
第３実施形態では、ヘッダ情報の解析のため、受信部１１がヘッダ情報解析部１２に着信メールを送信し、ヘッダ情報の解析後、ヘッダ情報解析部１２が受信メールボックス１３に着信メールを送信する。
図７に示す通り、第３実施形態も第１実施形態と同じく、本発明の受信装置は、受信部１１、ヘッダ情報解析部１２、受信メールボックス１３、及びメール整理表示部１４を備える。
受信部１１は、メールを受信する。ヘッダ情報解析部１２は、メールのヘッダ情報の解析を行う。受信メールボックス１３は、メールを保存する。メール整理表示部１４は、メールを整理表示する。
【００４３】
図８を参照して、本発明の第３実施形態の動作について説明する。
受信部１１は、着信メールをヘッダ情報解析部１２に送信する（ステップＳ４０１）。
ヘッダ情報解析部１２は、受信メールボックス１３に格納されている受信済みのメールにアクセスする（ステップＳ４０２）。
ヘッダ情報解析部１２は、着信メールと受信済みのメールのヘッダ情報の解析を行い、受信済みのメールから着信メールと件名が同じメールを検出し、着信メール及び件名が同じメールをメール整理表示部１４に送信する（ステップＳ４０３）。また、ヘッダ情報解析部１２は、受信メールボックス１３から受信済みのメールのヘッダ情報のみを受け取って解析を行い、解析後、受信済みのメールから着信メールと件名が同じメールを受信メールボックス１３から選択して、着信メールとともにメール整理表示部１４に送信するようにしても良い。
なお、ステップＳ４０１からステップＳ４０３までの動作については、ヘッダ情報解析部１２が受信部１１へのメールの着信を監視し、着信メールがあった時、ヘッダ情報解析部１２が受信部１１及び受信メールボックス１３にアクセスし、着信メールと受信済みのメールのヘッダ情報の解析を行うようにしても良い。
ヘッダ情報の解析後、ヘッダ情報解析部１２は、受信部１１から受信した着信メールを受信メールボックス１３に送信する（ステップＳ４０４）。ヘッダ情報の解析後にヘッダ情報解析部１２から受信メールボックス１３に着信メールを送信するのは、ヘッダ情報を解析する際、受信済みのメールに着信メールと同じメールが含まれることを防止するためである。ヘッダ情報の解析時に、解析対象である受信済みのメールに着信メールと同じメールが含まれないようにすることが可能であれば、ヘッダ情報解析部１２から受信メールボックス１３に着信メールを送信するのはいつでも良い。
メール整理表示部１４は、着信メール及び件名が同じメールに対して、送信者と送信日時を基準にマトリックス上に整理表示する（ステップＳ４０５）。
【００４４】
図９を参照して、本発明のマトリックス表示について説明する。
本発明におけるメールのマトリックス（行列）表示では、同一の件名に関するメールに対して、行の項目を送信日時、列の項目を送信者とし、マトリックス上にメールの本文を表示する。この時、件名を表題とするタブ表示を用いて、１つの件名に関するマトリックス表示を１つの画面に表示し、件名毎のマトリックス表示を１つのウィンドウ内で切り替えて使用するようにしても良い。
【００４５】
マトリックス表示の列の項目である「送信者」については、メール整理表示部１４がアドレス帳を参照し、送信元のメールアドレスに対応する氏名を表示する場合、複数のメールアドレスを持つ送信者が、各々のメールアドレスを使い分けてメールを送信してきた時、同一の送信者からのメールであると判断し、同じ列に表示するようにする。
例えば、普段、職場のメールアドレスを使用している送信者Ａが、自宅のメールアドレスを使用してメールを送信してきた場合、メール整理表示部１４がアドレス帳を参照し、いずれのメールも送信者Ａからのメールであると判断すれば、送信者Ａの列に表示するようにする。
【００４６】
メールの本文を１つの表示欄に全て表示することができない場合、メールの本文の表示欄において、メールの本文をスクロール表示できるようにしても良い。なお、スクロールとは、画面内に表示しきれない部分を表示するために、スクロールバーを用いて表示内容を上下左右に移動させることである。スクロールバーは、例えば、メールの本文の表示欄の右端や下端に表示される。
また、メールの本文の全文ではなく一部のみ表示するようにしても良い。例えば、改行や先頭文字で行数をカウントして、メールの本文の先頭１０行のみ表示するようにする。
【００４７】
なお、マトリックス上に整理表示するメールに添付されたファイルがある場合、メールの本文と同時に表示するようにしても良い。例えば、メールの本文を表示する欄を、本文を表示する領域と添付ファイルを表示する領域に分けて両方を表示するようにする。また、メールの本文と別に表示するようにしても良い。例えば、メールの本文中に添付ファイルへのリンク表示を設けるようにする。
【００４８】
また、図１０に示すように、同一の件名に関するメールに対して、行の項目を送信日時、列の項目を送信者とし、マトリックス上に各メールの件名のみを表示するようにして、ユーザの操作があった時にメールの本文を表示するようにしても良い。例えば、ユーザが、マトリックス上の件名が表示された領域をボタン又はリンク表示として操作キーを押下した場合、あるいは、前記の領域にカーソルを合わせた場合、その件名に対応するメールの本文を表示するようにする。
【００４９】
更に、実際に着信メールがない場合でも、受信済みのメールからユーザが選択した１つのメールを前記の着信メールに見立てて、本発明の受信装置を用いても良い。この時、ヘッダ情報解析部１２がメールのヘッダ情報の解析を行い、残りの受信済みのメールのうち、ユーザが選択したメールと同じ件名のメールを判別し、メール整理表示部１４が、前記のマトリックス上に整理表示する。
【００５０】
なお、ヘッダ情報の解析については、ヘッダ情報に含まれる件名を対象としているが、件名が完全に一致していなくても、件名に同一のキーワード（単語）を含んでいたらつながりのあるメールと判断するようにしても良い。例えば、会社の業務において、プロジェクト毎に所定のキーワードを与えてメールの送受信をすることで、同一のプロジェクトに関するメールをマトリックス上に整理表示することが可能となる。この時、つながりのあるメールと判断するためのキーワードは１つである必要はなく、複数のキーワードのうちいずれか１つでも含んでいれば、つながりのあるメールと判断するようにしても良い。すなわち、つながりのあるメールと判断するために、キーワードを識別情報として用いる。
【００５１】
本発明の受信装置の例としては、コンピュータ、携帯電話端末、ＰＤＡ（Ｐｅｒｓｏｎａｌ  Ｄｉｇｉｔａｌ  Ａｓｓｉｓｔａｎｃｅ）、ゲーム機、デジタル家電が考えられる。但し、これらの例に限定されるものではなく、実際にはメールの受信と表示が可能な機器であれば良い。
【００５２】
また、実際には電子メールではなくとも、複数の端末間でやり取りされる電子ファイルを電子メールに見立てて、電子ファイルのファイル名を「件名」とし、電子ファイルの送信者又は作成者を「送信者」、電子ファイルの内容を「本文」とした場合、本発明を適用することが可能である。例えば、複数の作業者が電子ファイルを作成又は更新し、相互に電子ファイルをやり取りする場合、本発明の受信装置を用いて、受信した電子ファイル及び保存している電子ファイルのヘッダ情報を解析し、各々の電子ファイルをマトリックス上に整理表示する。これにより、電子ファイルの作成又は更新の過程が時系列でわかるとともに、誰が何時送信してきた電子ファイルであるか容易に知ることが可能となる。電子ファイルの内容の例としては、文書のみならず、画像、動画でも良い。なお、この時、図１０に示すように、行の項目を「送信日時」、列の項目を「送信者」とし、マトリックス上に電子ファイルの「件名」のみを表示する場合、電子ファイルの内容は音声であっても良い。
【００５３】
なお、前記の説明において、電子ファイルのヘッダ情報は、データの先頭に付加されるデータ自体に関する情報である。
例えば、ワープロソフトで作成した文書には、各ページの先頭に本文の入力領域と分けられた領域が確保されており、この部分がヘッダになる。ワープロ文書のヘッダには作成日や作成者などの情報が書き込まれる場合が多い。ディスクにファイルを保存する場合にも、ファイル形式によっては、データ本体の他に先頭にヘッダ領域を設け、様々な情報を埋め込む場合がある。
コンピュータが通信を行う場合、データはパケットという単位に分割されて送受信されるが、パケットの先頭には送信元や送信先、パケットの大きさなど、パケット自体に関する情報が付加される。これもヘッダの一例である。
【００５４】
また、コンピュータが本発明の受信装置の各動作を実行するためのプログラムを備えていても良い。この場合、プログラムはコンピュータのＣＰＵにより実行される。
【００５５】
以上のように、本発明の受信装置は、電子メールを受信するとヘッダ情報の解析を行い、着信したメールの件名が受信済みであるメールボックス上に存在するかを判別して、存在すれば着信したメールと件名が同じメールに対して、送信者と送信日時を基準にマトリックス上に整理表示する。マトリックス上に整理表示することにより、個々のメールのやり取りが視覚的にわかり易く整理できる。
また、本発明の受信装置は、上記に加え送信者と送信日時でマトリックス表示された結果をファイルとして保存し、同一件名の電子メールが着信すると、このファイルに追加更新する。
【図面の簡単な説明】
【００５６】
【図１】図１は、本発明の第１実施形態の構成を示すブロック図である。
【図２】図２は、本発明の受信装置の基本動作を示すフローチャートである。
【図３】図３は、本発明の第１実施形態の動作を示すシーケンス図である。
【図４】図４は、結果をファイルとして保存する場合の構成を示すブロック図である。
【図５】図５は、本発明の第２実施形態の構成を示すブロック図である。
【図６】図６は、本発明の第２実施形態の動作を示すシーケンス図である。
【図７】図７は、本発明の第３実施形態の構成を示すブロック図である。
【図８】図８は、本発明の第３実施形態の動作を示すシーケンス図である。
【図９】図９は、マトリックス表示の例を示す第１の図である。
【図１０】図１０は、マトリックス表示の例を示す第２の図である。
【符号の説明】
【００５７】
１１…  受信部
１２…  ヘッダ情報解析部
１３…  受信メールボックス
１４…  メール整理表示部
１５…  ファイル保存部
【図１】
2006252199.tif 000003
【図２】
2006252199.tif 000004
【図３】
2006252199.tif 000005
【図４】
2006252199.tif 000006
【図５】
2006252199.tif 000007
【図６】
2006252199.tif 000008
【図７】
2006252199.tif 000009
【図８】
2006252199.tif 000010
【図９】
2006252199.tif 000011
【図１０】
2006252199.tif 000012